(57)【要約】【課題】レンズ径を大型化することなく、画角が６０度以上、Ｆ１．４以下の大口径広角レンズを提供する。【解決手段】広角レンズ１は、負レンズ１１、２組の接合レンズ１２，１３を配した第１レンズ群Ｇ１１と、負レンズ１４、接合レンズ１５、正レンズ１６、負レンズ１７を配した第２レンズ群Ｇ１２とから構成される。接合レンズ１２，１３，１５の正レンズ１２ｂ，１３ａ，１５ａは屈折率が１．７よりも大きく、負レンズ１４と正レンズ１６には非球面が形成されている。また、広角レンズ１の焦点距離ｆと第１レンズ群Ｇ１１の焦点距離ｆ１との比は、０．４＜ｆ／ｆ１＜１．２を満たしており、レンズ径の大型化を抑え、諸収差の補正を可能にしている。【選択図】　　　　図１
2004101880.tif 000002
【特許請求の範囲】
【請求項１】
物体側より順に、第１負レンズ、第１接合レンズ、第２接合レンズを配した第１レンズ群と、第２負レンズ、第３接合レンズ、正レンズ、第３負レンズを配した第２レンズ群とから構成され、
前記第２レンズ群のうち、第２負レンズと正レンズとが非球面を有し、
各接合レンズの正レンズは、その屈折率が１．７よりも大きく、
全系の焦点距離をｆ、第１レンズ群の焦点距離をｆ１としたときに、
０．４＜ｆ／ｆ１＜１．２
を満たすことを特徴とする大口径広角レンズ。
【発明の詳細な説明】
【０００１】
【発明の属する技術分野】
本発明は、写真レンズに好適な大口径広角レンズに関するものである。
【０００２】
【従来の技術】
画角６０度以上、ＦナンバーがＦ２．０より小さい広角レンズとしては、下記特許文献１及び特許文献２に記載のものが知られている。特許文献１記載の広角レンズは、絞りよりも物体側に２組の接合レンズを配し、絞りよりも像面側に凸メニスカスの単レンズと２組の接合レンズを配した構成をしている。絞りの前に位置する接合レンズと最後列の接合レンズの各凸面は非球面に形成され、Ｆ１．４の明るさに対して諸収差が補正されている。
【０００３】
また、特許文献２記載のものは、絞りよりも物体側に両凹、両凸の単レンズ、接合レンズを配し、絞りよりも像面側には接合レンズ、正負の各単レンズを配した構成をしている。また、最後列の負レンズは物体側を向いた凹面が非球面に形成され、Ｆ１．７の明るさに対して諸収差が補正されている。
【０００４】
【特許文献１】
特開平５−８０２５２号公報
【特許文献２】
特開２０００−３２１４９０号公報
【０００５】
【発明が解決しようとする課題】
近年では、Ｆ１．４よりも明るい大口径レンズが望まれているが、上記各特許文献に記載されたレンズ構成では、さらに明るさを高めようとした場合にレンズ径が全体として大きくなるとともに、これに伴って悪化する諸収差を抑えることが困難になるという問題がある。
【０００６】
本発明は、上記問題点を考慮してなされたもので、レンズ径を大きくすることなく諸収差が補正された高性能な大口径広角レンズを提供することを目的とするものである。
【０００７】
【課題を解決するための手段】
上記目的を達成するために、本発明は、物体側より順に、第１負レンズ、第１接合レンズ、第２接合レンズを配した第１レンズ群と、第２負レンズ、第３接合レンズ、正レンズ、第３負レンズを配した第２レンズ群とから構成され、第２レンズ群のうち、第２負レンズと正レンズとが非球面を有しており、各接合レンズの正レンズはその屈折率が１．７よりも大きく、全系の焦点距離をｆ、第１レンズ群の焦点距離をｆ１としたときに、
０．４＜ｆ／ｆ１＜１．２
を満たすことを特徴とするものである。
【０００８】
【作用】
３組の接合レンズに使用される各正レンズの屈折率が１．７よりも小さいと、非点収差及び像面湾曲の悪化を招き、これらの補正が困難になる。また、第１レンズ群の屈折力が上記条件式の上限を超えると、第１レンズ群の屈折力が全系に対して強くなることで第１レンズ群のレンズ径が大型化するとともに、これに伴って発生するコマ収差の補正が困難になる。また、下限を下回る場合には、第１レンズ群の屈折力が弱くなるために、第２レンズ群のレンズ径が大型化し、カメラへの取付けに支障が生じるものとなる。
【０００９】
【実施例】
（その１）
図１において、広角レンズ１は、絞りＳ１の前後にそれぞれ配された第１レンズ群Ｇ１１と第２レンズ群Ｇ１２とから構成されている。第１レンズ群Ｇ１１は、物体側より順に両凹の負レンズ１１、接合レンズ１２、接合レンズ１３を備えている。接合レンズ１２と接合レンズ１３は凸面を向かい合わせて配置されている。
【００１０】
第２レンズ群Ｇ１２は、メニスカス負レンズ１４、接合レンズ１５、両凸の正レンズ１６、両凹の負レンズ１７を備えている。負レンズ１４は、その像面側の凹面が非球面に形成されている。正レンズ１６は、その両面が非球面に形成されている。
【００１１】
接合レンズ１２，１３，１５は、両凹と両凸の単レンズからなる。第１レンズ群Ｇ１１は単レンズ１枚と接合レンズ２組の５枚のレンズからなり、第２レンズ群Ｇ１２は単レンズ３枚と接合レンズ１組の５枚のレンズからなり、広角レンズ１は計１０枚のレンズによって構成されている。以下の表１に広角レンズ１のレンズデータを示す。
【００１２】
【表１】
2004101880.tif 000003
【００１３】
なお、表中に示す屈折率とアッベ数は、ともにｄ線（５８７．６ｎｍ）に対する値である。また、曲率半径の欄に「＊」で示す第１１面、第１５面、第１６面は、非球面であることを表し、
Ｚ＝ｃｈ２　／〔１＋｛１−（１＋Ｋ）ｃ２　ｈ２　｝１／２　〕
＋Ａｈ４　＋Ｂｈ６　＋Ｃｈ８　＋Ｄｈ１０
の条件式を満たす曲面である。なお、本実施例においては、非球面の基準曲面がＫ＝０の球面であり、式中ｃは基準球面の曲率半径の逆数、ｈは光軸からの高さ、Ａ，Ｂ，Ｃ，Ｄはそれぞれ４次〜１０次の非球面係数を表す。以下の表２に各面の非球面係数を示す。
【００１４】
【表２】
2004101880.tif 000004
【００１５】
広角レンズ１は半画角が３１．８°すなわち６３．６°の撮影画角を有し、焦点距離ｆが３５．８ｍｍ、開放絞り値はＦ１．２４である。広角レンズ１の各収差曲線を図２に示す。（ａ）の球面収差図では、ｄ、ｇの符号を付した曲線がそれぞれｄ線（５８７．６ｎｍ），ｇ線（４３５．８ｎｍ）に対する球面収差を表す。また、（Ｂ）の非点収差図における符号Ｓ，Ｔは、それぞれ球欠像面，子午像面に対する収差を表す。
【００１６】
接合レンズ１２，１３，１５の各正レンズ１２ｂ，１３ａ，１５ｂは、その屈折率が１．８０４２であり、１．７よりも大きい。また、第１レンズ群Ｇ１１の焦点距離ｆ１は３６．９２ｍｍであり、全系の焦点距離ｆとの比ｆ／ｆ１は、
０．４＜ｆ／ｆ１＝０．９７＜１．２
の条件式を満たしている。以上の構成により、Ｆ１．２４の明るさと、良好な結像性能を実現した広角レンズを得ることができる。
【００１７】
（その２）
図３において、広角レンズ２は、絞りＳ２の前後にそれぞれ配された第１レンズ群Ｇ２１と第２レンズ群Ｇ２２とから構成されている。第１レンズ群Ｇ２１は、物体側より順に、メニスカス負レンズ２１、接合レンズ２２、接合レンズ２３を備えている。接合レンズ２２と接合レンズ２３はその凸面を向かい合わせて配置されている。
【００１８】
第２レンズ群Ｇ２２は、メニスカス負レンズ２４、接合レンズ２５、両凸の正レンズ２６、両凹の負レンズ２７を備えている。メニスカス負レンズ２４は、物体側を向いた凹面が非球面に形成されている。正レンズ２６は、両面が非球面に形成されている。
【００１９】
接合レンズ２２，２３，２５は、両凹と両凸の単レンズからなる。第１レンズ群Ｇ２１は単レンズ１枚と接合レンズ２組の５枚のレンズからなり、第２レンズ群Ｇ２２は単レンズ３枚と接合レンズ１組の５枚のレンズからなり、広角レンズ１は計１０枚のレンズで構成されている。以下の表３に広角レンズ２のレンズデータを、表４に負レンズ２４と正レンズ２６の非球面係数を示す。
【００２０】
【表３】
2004101880.tif 000005
【００２１】
【表４】
2004101880.tif 000006
【００２２】
広角レンズ２は、半画角が３１．８°すなわち６３．６°の撮影画角を有し、その焦点距離は３５．８ｍｍである。また、開放絞り値はＦ１．２４である。
広角レンズ２の各収差曲線を図４に示す。
【００２３】
接合レンズ２２，２３，２５の各正レンズ２２ｂ，２３ａ，２５ｂは、その屈折率が１．８０４２であり、１．７よりも大きい。また、第１レンズ群Ｇ２１の焦点距離ｆ１は６０．００ｍｍであり、全系の焦点距離ｆとの比ｆ／ｆ１は、
０．４＜ｆ／ｆ１＝０．６０＜１．２
の条件式を満たしている。以上の構成により、Ｆ１．２４の明るさと、良好な結像性能を実現した広角レンズを得ることができる。
【００２４】
【発明の効果】
以上のように、本発明では、物体側より順に、第１負レンズ、第１接合レンズ、第２接合レンズを配した第１レンズ群と、第２負レンズ、第３接合レンズ、正レンズ、第３負レンズを配した第２レンズ群とから構成し、各接合レンズの正レンズの屈折率が１．７よりも大きく、第２レンズ群の第２負レンズと正レンズとに非球面を用い、第１レンズ群の屈折力をバランスよく設定したので、レンズ径を大型化させることなく、撮影画角６０度以上、Ｆ１．４以下で、諸収差を抑えた性能のよい大口径広角レンズを得ることができる。
【図面の簡単な説明】
【図１】第１実施例の構成図である。
【図２】第１実施例の収差図である。
【図３】第２実施例の構成図である。
【図４】第２実施例の収差図である。
【符号の説明】
１，２　広角レンズ
１２，１３，１５，２２，２３，２５　接合レンズ
Ｇ１１，Ｇ２１　第１レンズ群
Ｇ１２，Ｇ２２　第２レンズ群
Ｓ１，Ｓ２　絞り
【図１】
2004101880.tif 000007
【図２】
2004101880.tif 000008
【図３】
2004101880.tif 000009
【図４】
2004101880.tif 000010